(57)【特許請求の範囲】
【請求項１】
用紙上に貼付された方形状の写真に向けて赤外線を照射し、当該写真の少なくとも一の辺に沿って当該辺に対応する辺影を前記用紙上に投影する赤外線照射手段と、
前記辺影を撮像する赤外線撮像手段と、
前記赤外線撮像手段により撮像された画像に基づいて前記写真の少なくとも一の辺を検出する検出手段と、
を備えたことを特徴とする写真辺検出装置。
【請求項２】
前記赤外線撮像手段は、前記赤外線照射手段により投影される辺影側から写真方向を撮像することを特徴とする請求項１に記載の写真辺検出装置。
【請求項３】
前記赤外線照射手段は、用紙上に貼付された方形状の写真に向けて赤外線を照射し、当該写真の相隣る二つの辺に沿って当該辺に対応する辺影を前記用紙上に投影し、
前記検出手段は、前記赤外線撮像手段により撮像された画像に基づいて前記写真の相隣る二辺を検出することを特徴とする請求項１又は２に記載の写真辺検出装置。
【請求項４】
前記赤外線照射手段は、用紙上に貼付された方形状の写真に向けて異なる方向から赤外線を切り替えて照射し、当該写真の複数の相隣る二つの辺に沿って当該辺に対応する辺影を前記用紙上に投影し、
前記検出手段は、前記赤外線撮像手段により撮像された画像に基づいて前記写真の複数の辺を検出することを特徴とする請求項１〜３のいずれか一項に記載の写真辺検出装置。
【請求項５】
前記赤外線照射手段は、２つの長辺と当該長辺に挟まれた短辺の３つの辺に沿って当該辺に対応する辺影を前記用紙上に投影することを特徴とする請求項４に記載の写真辺検出装置。
【請求項６】
前記赤外線撮像手段の画素ごとにおける明るさの閾値を記憶する記憶手段を更に備え、
前記検出手段は、前記記憶された閾値に基づいて画素ごとに辺影の判定を行い、前記写真の辺を検出することを特徴とする請求項１〜５のいずれか一項に記載の写真辺検出装置。
【請求項７】
前記赤外線撮像手段の画素ごとに当該画素における信号値のレンジ変換を行う変換手段と、
前記検出手段は、予め定められた閾値と前記変換された信号値とに基づいて画素ごとに辺影の判定を行い、前記写真の辺を検出することを特徴とする請求項１〜５のいずれか一項に記載の写真辺検出装置。
【請求項８】
請求項１〜７のいずれか一項に記載の写真辺検出装置と、
用紙上に貼付された写真を含む領域を読み取る読取手段と、
前記検出手段により検出された写真の辺の情報に基づいて、前記読み取られた画像から写真画像を抽出し、当該抽出された写真画像を含むＩＤカードを生成するカード生成手段と、
を備えたことを特徴とするＩＤカード作成装置。
【請求項９】
用紙上に貼付された方形状の写真に向けて赤外線を照射し、当該写真の少なくとも一の辺に沿って当該辺に対応する辺影を前記用紙上に投影する赤外線照射工程と、
前記辺影を撮像する赤外線撮像工程と、
前記赤外線撮像工程により撮像された画像に基づいて前記写真の少なくとも一の辺を検出する検出工程と、
を有することを特徴とする写真辺検出方法。
【請求項１０】
前記赤外線撮像工程では、前記赤外線照射工程により投影される辺影側から写真方向を撮像することを特徴とする請求項９に記載の写真辺検出方法。
【請求項１１】
前記赤外線照射工程では、用紙上に貼付された方形状の写真に向けて赤外線を照射し、当該写真の相隣る二つの辺に沿って当該辺に対応する辺影を前記用紙上に投影し、
前記検出工程では、前記赤外線撮像工程により撮像された画像に基づいて前記写真の相隣る二辺を検出することを特徴とする請求項９又は１０に記載の写真辺検出方法。
【請求項１２】
前記赤外線照射工程では、用紙上に貼付された方形状の写真に向けて異なる方向から赤外線を切り替えて照射し、当該写真の複数の相隣る二つの辺に沿って当該辺に対応する辺影を前記用紙上に投影し、
前記検出工程では、前記赤外線撮像工程により撮像された画像に基づいて前記写真の複数の辺を検出することを特徴とする請求項９〜１１のいずれか一項に記載の写真辺検出方法。
【請求項１３】
前記赤外線照射工程では、２つの長辺と当該長辺に挟まれた短辺の３つの辺に沿って当該辺に対応する辺影を前記用紙上に投影することを特徴とする請求項１２に記載の写真辺検出方法。
【請求項１４】
前記検出工程では、予め記憶された赤外線撮像手段の画素ごとにおける明るさの閾値に基づいて画素ごとに辺影の判定を行い、前記写真の辺を検出することを特徴とする請求項９〜１３のいずれか一項に記載の写真辺検出方法。
【請求項１５】
赤外線撮像手段の画素ごとに当該画素における信号値のレンジ変換を行う変換工程を更に有し、
前記検出工程では、予め定められた閾値と前記変換された信号値とに基づいて画素ごとに辺影の判定を行い、前記写真の辺を検出することを特徴とする請求項９〜１３のいずれか一項に記載の写真辺検出方法。
【請求項１６】
請求項９〜１５のいずれか一項に記載の写真辺検出方法と、
用紙上に貼付された写真を含む領域を読み取る読取工程と、
前記検出工程により検出された写真の辺の情報に基づいて、前記読み取られた画像から写真画像を抽出し、当該抽出された写真画像を含むＩＤカードを生成するカード生成工程と、
を有することを特徴とするＩＤカード作成方法。
【発明の詳細な説明】
【技術分野】
【０００１】
本発明は、写真が貼付された用紙から写真辺を検出する写真辺検出装置、当該写真辺検出装置を有するＩＤカード作成装置、写真辺検出方法及びＩＤカード作成方法に関する。
【背景技術】
【０００２】
従来から、社員証、免許証、各種会員証カード等のＩＤカードには、カード保有者の識別番号、氏名、有効期限等の情報を印字したものの他に、顔写真を印字したものがある。この顔写真が印字されたＩＤカードの作成には、当該ＩＤカードの作成時に発行対象者のＩＤカード申請用紙上の所定位置に貼り付けられた顔写真を読み取り、その読み取った画像を元に行うものがある。
【０００３】
このＩＤカード申請用紙上の顔写真を読み取ってＩＤカードを作成する場合は、ＩＤカードに印字される顔写真のずれや傾きを防止するため、申請用紙に貼り付けられた顔写真位置を確実に検出する必要がある。
【０００４】
特許文献１には、申請用紙上の顔写真の貼付位置を確実に検出する技術として、申請用紙を透過する電磁波を検知する技術が開示されている。また、特許文献２には、撮像した画像から申請用紙上に貼付された顔写真のエッジを検出して、そのエッジを含まない顔写真画像をＩＤカード用画像として抽出する技術が開示されている。
【特許文献１】特開２００４−１７４８８９号公報
【特許文献２】特開２００１−１８０１６０号公報
【発明の開示】
【発明が解決しようとする課題】
【０００５】
しかしながら、申請用紙を透過する電磁波を検知する場合は、その申請用紙や貼付する写真の厚さに写真位置を検知する精度が影響される可能性があり、より精度の高い検出を行うために申請用紙・写真の厚さや素材を制限する必要があった。
【０００６】
また、撮像した画像から写真のエッジを検出する場合は、良好な顔写真を取得するために乱反射しないような均一な照明光の元や、写真の背景色や濃度が申請用紙と似通っている時にはエッジ検出が困難であることが判明した。
【０００７】
本発明は、このような課題に鑑みてなされたものであり、その目的とするところは、用紙に貼付された写真位置をずれることなく正確に取得する技術を提供することである。
【課題を解決するための手段】
【０００８】
上記課題を解決するために、請求項１に記載の発明の写真辺検出装置は、用紙上に貼付された方形状の写真に向けて赤外線を照射し、当該写真の少なくとも一の辺に沿って当該辺に対応する辺影を前記用紙上に投影する赤外線照射手段と、前記辺影を撮像する赤外線撮像手段と、前記赤外線撮像手段により撮像された画像に基づいて前記写真の少なくとも一の辺を検出する検出手段と、を備えたことを特徴とする。
【０００９】
請求項２に記載の発明は、請求項１に記載の発明において、前記赤外線撮像手段は、前記赤外線照射手段により投影される辺影側から写真方向を撮像することを特徴とする。
【００１０】
請求項３に記載の発明は、請求項１又は２に記載の発明において、前記赤外線照射手段は、用紙上に貼付された方形状の写真に向けて赤外線を照射し、当該写真の相隣る二つの辺に沿って当該辺に対応する辺影を前記用紙上に投影し、前記検出手段は、前記赤外線撮像手段により撮像された画像に基づいて前記写真の相隣る二辺を検出することを特徴とする。
また、請求項４に記載の発明は、請求項１〜３のいずれか一項に記載の発明において、前記赤外線照射手段は、用紙上に貼付された方形状の写真に向けて異なる方向から赤外線を切り替えて照射し、当該写真の複数の相隣る二つの辺に沿って当該辺に対応する辺影を前記用紙上に投影し、前記検出手段は、前記赤外線撮像手段により撮像された画像に基づいて前記写真の複数の辺を検出することを特徴とする。
【００１１】
請求項５に記載の発明は、請求項４に記載の発明において、前記赤外線照射手段は、２つの長辺と当該長辺に挟まれた短辺の３つの辺に沿って当該辺に対応する辺影を前記用紙上に投影することを特徴とする。
【００１２】
請求項６に記載の発明は、請求項１〜５のいずれか一項に記載の発明において、前記赤外線撮像手段の画素ごとにおける明るさの閾値を記憶する記憶手段を更に備え、前記検出手段は、前記記憶された閾値に基づいて画素ごとに辺影の判定を行い、前記写真の辺を検出することを特徴とする。
【００１３】
請求項７に記載の発明は、請求項１〜５のいずれか一項に記載の発明において、前記赤外線撮像手段の画素ごとに当該画素における信号値のレンジ変換を行う変換手段と、前記検出手段は、予め定められた閾値と前記変換された信号値とに基づいて画素ごとに辺影の判定を行い、前記写真の辺を検出することを特徴とする。
【００１４】
請求項８に記載の発明のＩＤカード作成装置は、請求項１〜７のいずれか一項に記載の写真辺検出装置と、用紙上に貼付された写真を含む領域を読み取る読取手段と、前記検出手段により検出された写真の辺の情報に基づいて、前記読み取られた画像から写真画像を抽出し、当該抽出された写真画像を含むＩＤカードを生成するカード生成手段と、を備えたことを特徴とする。
【００１５】
請求項９に記載の発明の写真辺検出方法は、用紙上に貼付された方形状の写真に向けて赤外線を照射し、当該写真の少なくとも一の辺に沿って当該辺に対応する辺影を前記用紙上に投影する赤外線照射工程と、前記辺影を撮像する赤外線撮像工程と、前記赤外線撮像工程により撮像された画像に基づいて前記写真の少なくとも一の辺を検出する検出工程と、を有することを特徴とする。
【００１６】
請求項１０に記載の発明は、請求項９に記載の発明において、前記赤外線撮像工程では、前記赤外線照射工程により投影される辺影側から写真方向を撮像することを特徴とする。
【００１７】
請求項１１に記載の発明は、請求項９又は１０に記載の発明において、前記赤外線照射工程では、用紙上に貼付された方形状の写真に向けて赤外線を照射し、当該写真の相隣る二つの辺に沿って当該辺に対応する辺影を前記用紙上に投影し、前記検出工程では、前記赤外線撮像工程により撮像された画像に基づいて前記写真の相隣る二辺を検出することを特徴とする。
また、請求項１２に記載の発明は、請求項９〜１１のいずれか一項に記載の発明において、前記赤外線照射工程では、用紙上に貼付された方形状の写真に向けて異なる方向から赤外線を切り替えて照射し、当該写真の複数の相隣る二つの辺に沿って当該辺に対応する辺影を前記用紙上に投影し、前記検出工程では、前記赤外線撮像工程により撮像された画像に基づいて前記写真の複数の辺を検出することを特徴とする。
【００１８】
請求項１３に記載の発明は、請求項１２に記載の発明において、前記赤外線照射工程では、２つの長辺と当該長辺に挟まれた短辺の３つの辺に沿って当該辺に対応する辺影を前記用紙上に投影することを特徴とする。
【００１９】
請求項１４に記載の発明は、請求項９〜１３のいずれか一項に記載の発明において、前記検出工程では、予め記憶された赤外線撮像手段の画素ごとにおける明るさの閾値に基づいて画素ごとに辺影の判定を行い、前記写真の辺を検出することを特徴とする。
【００２０】
請求項１５に記載の発明は、請求項９〜１３のいずれか一項に記載の発明において、赤外線撮像手段の画素ごとに当該画素における信号値のレンジ変換を行う変換工程を更に有し、前記検出工程では、予め定められた閾値と前記変換された信号値とに基づいて画素ごとに辺影の判定を行い、前記写真の辺を検出することを特徴とする。
【００２１】
請求項１６に記載の発明のＩＤカード作成方法は、請求項９〜１５のいずれか一項に記載の写真辺検出方法と、用紙上に貼付された写真を含む領域を読み取る読取工程と、前記検出工程により検出された写真の辺の情報に基づいて、前記読み取られた画像から写真画像を抽出し、当該抽出された写真画像を含むＩＤカードを生成するカード生成工程と、を有することを特徴とする。
【発明の効果】
【００２２】
請求項１、９に記載の発明によれば、写真の少なくとも一の辺を検出することができ、用紙や写真の色合いや素材に影響されずに、写真位置の検出をずれることなく正確に行うことができる。
【００２３】
請求項２、１０に記載の発明によれば、より幅の広くコントラストの高い辺影を撮像することができ、写真位置の検出をより正確に行うことができる。
【００２４】
請求項３、１１に記載の発明によれば、写真の相隣る二辺を検出することができる。
また、請求項４、１２に記載の発明によれば、複数の辺影を検出することでより精度の高い写真位置の検出を行うことができる。
【００２５】
請求項５、１３に記載の発明によれば、長辺に比べて誤差の割合が大きくなる短辺の位置を正確に測定することができ、より精度の高い写真位置の検出を行うことができる。
【００２６】
請求項６、７、１４、１５に記載の発明によれば、照射される赤外線による画像から辺影の判別を行う際に局所的な明るさの違いによる影響を抑えることができ、より精度の高い写真位置の検出を行うことができる。
【００２７】
請求項８、１６に記載の発明によれば、用紙上に貼付された写真画像から写真画像を含むＩＤカードの作成をより正確に行うことができる。 
【発明を実施するための最良の形態】
【００２８】
以下、図１〜図５を参照して本発明の実施形態について詳細に説明するが、この発明は、この実施の形態に限定されない。また、この発明の実施の形態は発明の最も好ましい形態を示すものであり、発明の用語や用途などをこれに限定しない。
【００２９】
図１は、本発明であるＩＤカード作成装置１の構成を示す構成図であり、図２は、申請用紙３における顔写真４の貼付を例示する図であり、図３（ａ）は、顔写真撮像部５０の撮像位置における辺影の撮像を例示する図であり、図３（ｂ）は、撮像位置における顔写真４をＣＣＤカメラ５１方向から見た時の赤外線照明灯と赤外線カメラの位置関係を例示する図であり、図４は、申請用紙に貼付された顔写真から顔画像に関するデータを抽出する処理を示すフローチャートであり、図５は、赤外線照明による辺影からの顔写真のエッジ検出を例示する図である。
【００３０】
図１に示すように、ＩＤカード作成装置１には、上部に自動供給部３０が、その下部に番号読取部４０が、その下部に顔写真撮像部５０が、その下部に情報読取部６０が配置されており、当該ＩＤカード作成装置１の各部を統括制御する制御部２１により、帳票に記載された証明番号や各種情報を読み取ると共に、帳票に貼付された顔写真を読み取ることでＩＤカードを作成するための情報を取り込む構成である。
【００３１】
制御部２１は、特に図示しないＣＰＵ（Central  Processing  Unit）、ＲＯＭ（Read  Only  Memory）及びＲＡＭ（Random  Access  Memory）などを備え、ＣＰＵにおいてＲＡＭの所定領域を作業領域とし、ＲＯＭや不揮発性のメモリや光学的／磁気的な記憶媒体である記憶部２３に格納された各種プログラムを読み込んで順次実行することで、ＩＤカード作成装置１の動作を統括制御する。なお、記憶部２３は、各種プログラムの他に、ＩＤカード作成装置１の動作に関する設定データを格納する構成であって良い。
【００３２】
ＩＤカード用プリンタ２２は、制御部２１からの指示に応じて、紙やプラスチックなどのＩＤカードの記録面に、上述の取り込んだ情報に基づいた各種情報や、申請用紙に貼付された顔写真に基づいた顔画像を印字するプリンタなどである。なお、ＩＤカード用プリンタ２２は、ＩＤカードに設けられたＩＣタグや磁気／光学的に読み書きが可能な記憶媒体に上記各種情報や顔画像に関するデータを格納する構成であっても良い。
【００３３】
自動供給部３０には、カード状の帳票である申請用紙を格納して当該申請用紙を順次供給する申請用紙供給部３１と、短冊状の帳票である台紙を供給する台紙供給部３２とが備えられている。申請用紙供給部３１には申請用紙トレー３３がセットされ、台紙供給部３２には台紙トレー３４がセットされる。申請用紙トレー３３からの申請用紙と、台紙トレー３４からの台紙を搬送する共通の搬送部７０が備えられ、この搬送部７０の搬送路７１に沿って証明番号等を読み取る番号読取部４０と、顔写真を読み取る顔写真撮像部５０とが配置されている。
【００３４】
申請用紙供給部３１に格納される申請用紙は、発行希望者がＩＤカードを発行するために氏名、住所、生年月日等の自身に関する情報の記載と当該発行希望者の顔写真を貼付したものである。具体的には、図２に示すように、申請用紙３は、自身の情報を記載する情報記入領域３０１、顔写真４を貼付する写真貼付領域３０２及び当該申請用紙の証明番号などを記載する用紙番号記載領域３０３を有する。なお、台紙は、例えば作成するＩＤカードが免許証などの場合における撮影台紙などである。
【００３５】
番号読取部４０には、ＯＣＲリーダ４１が備えられ、ＯＣＲリーダ４１により申請用紙３の用紙番号記載領域３０３から証明番号等を読み取り、この読み取り情報は解読部４２で解読されてＣＰＵ５４に送られ、ＣＰＵ５４から制御部２１へ送られる。
【００３６】
顔写真撮像部５０は、ＣＣＤカメラ５１（Charge-Coupled  Device）が備えられ、そのＣＣＤカメラ５１の略正面に写真貼付領域３０２が配される撮像位置に搬送された申請用紙３を撮像し、その申請用紙３に貼付された顔写真４を読み取り、アナログ色信号を画像処理部５２へ送り、画像処理部５２で画像処理した顔画像に関するデータを制御部２１へ送る。ＣＣＤカメラ５１には顔写真４の撮像時に当該顔写真を照明する照明灯５３が備えられ、ＣＣＤカメラ５１はＣＰＵ５４で制御される。顔写真撮像部５０には、台紙を情報読取部６０のスキャナー部６１の手前で分岐し排出する台紙排出部５５を備えており、切り替え弁５６の操作で搬送路７１を切り替えて台紙をスキャナー部６１の手前で分岐し、台紙バケット５７へ排出する。
【００３７】
また、顔写真撮像部５０は、ＣＰＵ５４で制御される赤外線照明灯５８、赤外線カメラ５９及びエッジ検出部５４ａを備え、撮像位置にある顔写真４に対して赤外線照明灯５８から赤外線を照射し、厚みにより顔写真４の縁に生じる辺影を含む画像を赤外線カメラ５９で撮像する。そして、エッジ検出部５４ａでその画像から辺影を所定の閾値との比較による２値化などにより判別し、エッジを検出してその検出結果をＣＰＵ５４に出力する。このように、赤外線照明による辺影でエッジを検出する構成では、申請用紙３や顔写真４の絵柄や色の影響を受けることがないため、申請用紙や写真の色、素材等に影響されることなく、エッジ検出を行うことができる。
【００３８】
撮像位置において申請用紙３に貼付された顔写真４に対するＣＣＤカメラ５１、赤外線照明灯５８及び赤外線カメラ５９の配置は、図３（ａ）に示すように、ＣＣＤカメラ５１が顔写真４の略正面上方に配され、赤外線照明灯５８及び赤外線カメラ５９が顔写真４の斜め上方から顔写真４方向を向いた形で配される構成である。このように、赤外線照明灯５８からの赤外線照射を顔写真４に対して斜め上方から行うことで充分な幅をもった辺影Ｋを現すことができるため、当該辺影Ｋによるエッジ検出を容易にすることができる。
【００３９】
また、赤外線カメラ５９はＣＣＤカメラ５１と略同一方向から顔写真４を撮像する構成でも良いが、同図に示すように、赤外線照明灯５８と赤外線カメラ５９とは、顔写真４を挟んで互いに向かい側、つまり辺影が現れる側に顔写真４方向を向いて配置される構成が好適である。この場合は、充分な幅を持ったコントラストの高い辺影Ｋを撮像することができるため、２値化などによるエッジ判定の精度を高めることができる。
【００４０】
また、赤外線照明灯５８は、図３（ｂ）に示すように、顔写真４に対して二つの辺影が現れる位置に配置される構成である。つまり、赤外線照明灯５８ａからの赤外線照射では辺影Ｋ２、Ｋ３が、赤外線照明灯５８ｂからの赤外線照射では辺影Ｋ１、Ｋ２が顔写真４の縁に現れる。なお、赤外線照明灯５８ａ、５８ｂは、制御部２１の制御指示に応じて、顔写真４に対して順次切り換えて赤外線を照射する構成であって良い。この場合は、赤外線カメラ５９ではそれらの辺影を撮像することができ、より多くの辺影からエッジの検出を行うことができる。
【００４１】
なお、赤外線照明灯の数は、３つ又は４つであってもよく、特に限定するものではない。例えば、赤外線カメラ５９が同図に示す位置で３つの赤外線照明灯を備える場合は、赤外線カメラ５９と顔写真４を挟んで対向する辺及びその辺と接する辺に対して略垂直に斜め上方から照射する位置に赤外線照明灯を備える構成である場合に上記辺影Ｋ１〜Ｋ３を効率良く現すことができる。また、４つである場合は、顔写真４のそれぞれの辺に略垂直に斜め上方から照射する位置に赤外線照明灯を備え、顔写真４の略正面に赤外線カメラ５９を備える構成が好適である。
【００４２】
また、同図に示すように、顔写真４が長辺と短辺の矩形状である場合の２つの長辺と当該長辺に挟まれた短辺側に辺影Ｋ１〜Ｋ３を投影する構成では、短辺の位置及び長さを精度良く測定することができ、長辺に比べて誤差の割合の大きくなる短辺の測定精度を高めることで、より精度の高い写真位置の検出を行うことができる。
【００４３】
ここで、制御部２１が統括して行う、申請用紙３に貼付された顔写真４を顔写真撮像部５０で撮像して顔画像に関するデータを抽出する処理について、詳細に説明する。
【００４４】
図４に示すように、先ず、申請用紙３が前述した撮像位置に搬送され、（ステップＳ１１）、ＩＤカード用の画像として少なくとも写真貼付領域３０２を含んだ領域がＣＣＤカメラ５１で撮像され（ステップＳ１２）、上述した赤外線照明灯５８と赤外線カメラ５９により顔写真４のエッジ検出用の画像として赤外線画像が撮像される（ステップＳ１３）。
【００４５】
次いで、エッジ検出処理として、撮像された赤外線画像を予め定められた明るさに関する閾値で２値化して辺影を判別し、その辺影の内側の縁の座標、つまり、写真のエッジに対応する部分の座標を複数取得し、その取得した座標を元にハフ法などの公知の方法で写真のエッジと等価な辺（直線）を求める処理が行われる（ステップＳ１４）。具体的には、図５に示すように、２つ方向から順次赤外線を照射して２つの赤外線画像を撮像する場合は、その２つの赤外線画像から辺影を判別して座標を取得することで、写真のエッジと等価な３辺を取得することができる。また、１つの赤外線照明では、２つの相隣る辺を取得することができる。
【００４６】
また、エッジ検出処理における辺影の判別の際の明るさに関する閾値は、赤外線カメラ５９における画素ごとに設定され、記憶部２３に格納される構成であってよい。この場合は、赤外線照明光による画像から辺影の判別を行う際に局所的な明るさの違い（図５を参照）による影響を抑えることができる。なお、エッジ検出処理における辺影の判別は、赤外線カメラ５９における画素ごとに出力する信号値のレンジを変換し、１つの明るさに関する閾値を元に行う構成であってもよい。この場合も同様に、辺影の判別を行う際の局所的な明るさの違いによる影響を抑えることができる。
【００４７】
また、エッジ検出処理においては、ハフ法などの過程で求められた写真のエッジと等価な辺（直線）とデータ（辺影の内側の縁の座標）の検定を行い、直線に対するデータの信憑性が低い場合、つまり、写真や申請書の表面やエッジに異物などが付着してノイズとなっている場合や写真がまっすぐに裁断されていないなどの場合に、後段の処理に対してデータの信憑性が低い旨の警告を出力する構成であっても良い。この場合は、出力される警告を元に、ＩＤカード用プリンタ２２でのＩＤカードの作成の中断や、特に図示しないＬＣＤ（Liquid  Crystal  Display）などの表示部に警告表示を行って手動による補正を促すなどの処理を後段で行い、不正なＩＤカードの作成を防止してロスを低減させることができる。
【００４８】
また、エッジ検出処理においては、求められた写真のエッジから顔写真の大きさや写真貼付領域３０２における顔写真４のずれを検知し、予め記憶部２３に格納された規定値と比較してその規定値を上回る場合は後段の処理に対して警告を出力する構成であって良い。この構成では、顔写真の大きさが規定からはずれる場合や顔写真の貼付がずれることで発生するデータ欠損や画質劣化により、拡大・縮小・回転などによる補正が困難な場合において、不正なＩＤカードの作成を出力される警告を元に予め防止してロスを低減させることができる。
【００４９】
次いで、検出された写真のエッジを元にＩＤカード用画像のトリミング、つまり、写真貼付領域３０２に貼付された顔写真４からその写真の縁より内側の顔画像に関する情報が抽出され（ステップＳ１５）、申請用紙３が後段に排出されて（ステップＳ１６）、終了する。
【００５０】
情報読取部６０には、証明番号及び顔写真の読み取り後、申請用紙３の情報記入領域３０１から情報を読み取るスキャナー部６１が備えられ、スキャナー部６１はＣＰＵ６２で制御され、読取情報はＣＰＵ６２により制御部２１へ送られる。スキャナー部６１により読取が終了した申請用紙は申請書バケット６３へ排出される。制御部２１では、証明番号を読み取ると共に、顔写真を読み取ることでＩＤカードを作成するための情報を取り込み、ＩＤカード用プリンタ２２へ出力してＩＤカードを作成する。
【００５１】
搬送部７０は、搬送路７１を搬送ローラ７２０１〜７２１３によって形成し、この搬送ローラ７２０１〜７２１３はステッピングモータ７３を動力源とする動力伝達手段７４により駆動可能になっている。ステッピングモータ７３は、ＣＰＵ５４の制御指示に応じて動力伝達手段７４の移動量を調整な構成であり、正確に申請用紙３の搬送位置を制御することができる。動力伝達手段７４は、例えばベルトで構成される。
【００５２】
以上のように、ＩＤカード作成装置１は、申請用紙３に貼付された顔写真４を読み取る際に、赤外線照明灯５８からの赤外線照射により顔写真４の相隣る辺に沿って当該辺に対応する辺影を投影し、赤外線カメラ５９でその辺影を撮像し、当該撮像された辺影を判別して顔写真４のエッジを検出する構成である。このため、用紙や写真の色合いや素材に影響されずに、写真位置の検出をずれることなく正確に行うことができる。
【００５３】
また、上記構成で検出した顔写真４のエッジに基づいてＣＣＤカメラ５１で読み取った顔写真４を含む画像から写真画像を抽出し、当該抽出された写真画像を含むＩＤカードをＩＤカード用プリンタ２２で作成する構成であるため、用紙上に貼付された写真画像から写真画像を含むＩＤカードの作成を、申請用紙や写真の色合いや素材に影響されずに正確に行うことができる。
【００５４】
なお、本実施の形態における記述は、本発明の一例を示すものであり、これに限定しない。本発明におけるＩＤカード作成装置１の細部構成及び細部動作に関しては、本発明の趣旨を逸脱しない範囲で適宜変更が可能である。例えば、赤外線カメラ５９は、辺影を撮像可能に配置されていれば良く、ＣＣＤカメラ５１の位置から顔写真４方向を撮像する構成などであってよい。また、ＣＣＤカメラ５１は、ＣＭＯＳ（Complementary  Metal-Oxide  Semiconductor）を用いたデジタルカメラなどであってよい。
【図面の簡単な説明】
【００５５】
【図１】本発明であるＩＤカード作成装置１の構成を示す構成図である。
【図２】申請用紙３における顔写真４の貼付を例示する図である。
【図３】（ａ）は、撮像位置における顔写真４をＣＣＤカメラ５１方向から見た時の赤外線照明灯と赤外線カメラの位置関係を例示する図であり（ｂ）は、撮像位置における顔写真４をＣＣＤカメラ５１方向から見た時の赤外線照明灯と赤外線カメラの位置関係を例示する図である。
【図４】申請用紙に貼付された顔写真から顔画像に関するデータを抽出する処理を示すフローチャートである。
【図５】赤外線照明による辺影からの顔写真のエッジ検出を例示する図である。
【符号の説明】
【００５６】
１  ＩＤカード作成装置（写真辺検出装置）
３  申請用紙
４  顔写真
２１  制御部（検出手段、レンジ変換手段、ＩＤカード作成手段）
２２  ＩＤカード用プリンタ（ＩＤカード作成手段）
２３  記憶部（記憶手段）
３０  自動供給部
３１  申請用紙供給部
３２  台紙供給部
３３  申請用紙トレー
３４  台紙トレー
４０  番号読取部
４１  ＯＣＲリーダ
４２  解読部
５０  顔写真撮像部
５１  ＣＣＤカメラ（読取手段）
５２  画像処理部
５３  照明灯
５４  ＣＰＵ（検出手段）
５４ａ  エッジ検出部（検出手段）
５５  台紙排出部
５６  切り替え弁
５７  台紙バケット
５８、５８ａ、５８ｂ  赤外線照明灯（赤外線照射手段）
５９  赤外線カメラ（撮像手段）
６０  情報読取部
６１  スキャナー部
６２  ＣＰＵ
６３  申請書バケット
７０  搬送部
７１  搬送路
７２０１〜７２１３  搬送ローラ
７３  ステッピングモータ
７４  動力伝達手段
３０１  情報記入領域
３０２  写真貼付領域
３０３  用紙番号記載領域
Ｋ、Ｋ１〜Ｋ３  辺影
【図１】
0004729363.tif 000002
【図２】
0004729363.tif 000003
【図３】
0004729363.tif 000004
【図４】
0004729363.tif 000005
【図５】
0004729363.tif 000006